(57)【要約】      （修正有）【課題】ダイヤルロックと、ＴＳＡロックと、ユーザーキーを使って施錠・解錠できるロック機構とを兼ね備えるキャリーケース用施錠装置を提供する。【解決手段】マスターキーを使って施錠及び解錠することができるように構成されたＴＳＡロック部４と、ダイヤルを使って施錠及び解錠することができるように構成されたダイヤルロック部６と、ユーザーキー１４で施錠及び解錠することができるように構成されたユーザーキーロック部１０であって、鍵穴１６、及びこの鍵穴１６を遮蔽することができる蓋体１２と、を有するユーザーキーロック部１０と、を備え、ダイヤルロック部６による施錠状態をユーザーキー１４で解錠することができるように、ユーザーキーロック部１０が構成されている。【選択図】図２
0003215036.tif 000002
【実用新案登録請求の範囲】
【請求項１】
マスターキーを使って施錠及び解錠することができるように構成されたＴＳＡロック部と、
ダイヤルを使って施錠及び解錠することができるように構成されたダイヤルロック部と、
ユーザーキーを使って施錠及び解錠することができるように構成されたユーザーキーロック部であって、鍵穴、及びこの鍵穴を遮蔽することができる蓋体を有するユーザーキーロック部と、
を備え、
上記ダイヤルロック部による施錠状態を上記ユーザーキーで解錠することができるように、上記ユーザーキーロック部が構成されていることを特徴とする、キャリーケース用施錠装置。
【請求項２】
上記蓋体は、上記鍵穴を露出させることができるように摺動可能に構成されたスライド式の蓋体であることを特徴とする請求項１に記載のキャリーケース用施錠装置。
【請求項３】
上記蓋体は、付勢手段によって上記鍵穴を遮蔽する方向へ付勢されていることを特徴とする請求項２に記載のキャリーケース用施錠装置。
【考案の詳細な説明】
【技術分野】
【０００１】
本考案は、ダイヤルロックと、ＴＳＡロックと、ユーザーキーを使って施錠・解錠できるロック機構とを兼ね備えたキャリーケース用施錠装置に関する。
【背景技術】
【０００２】
交通機関の発達に伴い、キャリーケースを使って旅行する機会が増えており、需要者のニーズに応じて様々な種類のキャリーケースが提供されている。キャリーケース用の施錠装置としては、キーロック式やダイヤルロック式等の施錠装置がある。例えば、施錠時にキーを使わずにダイヤルに表示されているダイヤル番号を暗証番号に合わせて施錠するダイヤルロック式の施錠装置が用いられている。
【０００３】
しかし、ダイヤルロック式のロック装置は、解錠のための暗証番号を記憶しておく必要があり、暗証番号を誤って記憶してしまった場合や、暗証番号を度忘れしてしまった場合に、解錠することが困難となる。また、キャリーケースの使用者の代わりに家族などの他の者がキャリーケースを開けなければならなくなった場合、当事者がその場にいなければキャリーケースを開けることができない事態が発生してしまう。
【０００４】
また、同時多発テロ事件後のアメリカ国内の空港においては、手荷物検査が厳格化されており、抜き打ち検査でキャリーケースを開けて内容物を検査することが行われているため、これに合わせてキャリーケースなどの鞄にもＴＳＡロックの採用が多くなっている。ＴＳＡロックには１１種類のマスターキーが存在し、ダイヤルロック等でキャリーケースの施錠がされていても、ＴＳＡ（米国運輸保安庁）職員が専用の合鍵（マスターキー）を使って解錠することができる。
【先行技術文献】
【特許文献】
【０００５】
【特許文献１】実用新案登録第３２０４２４３号公報
【考案の概要】
【考案が解決しようとする課題】
【０００６】
ユーザーキーを使ってダイヤルロックを解錠することができるように構成されたキャリーケース用施錠装置があると、ダイヤルの暗証番号を誤って記憶してしまった場合や暗証番号を度忘れした場合にも、解錠することができるので便利である。しかし、施錠装置の表面に、マスターキー用の鍵穴と、ユーザーキー用の鍵穴との２つの鍵穴を有する場合、ＴＳＡの認可を得ることができない。よって、特に米国へ旅行するときには、ユーザーキー用の鍵穴を隠しておく必要がある。
【課題を解決するための手段】
【０００７】
本考案の一実施例においては、マスターキーを使って施錠及び解錠することができるように構成されたＴＳＡロック部と、ダイヤルを使って施錠及び解錠することができるように構成されたダイヤルロック部と、ユーザーキーを使って施錠及び解錠することができるように構成されたユーザーキーロック部であって、鍵穴、及びこの鍵穴を遮蔽することができる蓋体と、を有するユーザーキーロック部と、を備え、ダイヤルロック部による施錠状態をユーザーキーで解錠することができるように、ユーザーキーロック部が構成されていることを特徴とする、キャリーケース用施錠装置を提示する。
【０００８】
また、蓋体は、鍵穴を露出させることができるように摺動可能に構成されたスライド式の蓋体であることを特徴とする。
【０００９】
さらには、蓋体は、付勢手段によって鍵穴を遮蔽する方向へ付勢されていることを特徴とする。
【図面の簡単な説明】
【００１０】
【図１】本考案のキャリーケース用施錠装置の一実施例を示す平面図。
【図２】本考案のキャリーケース用施錠装置の一実施例を示す平面図。
【図３】鍵穴が遮蔽されている施錠装置を有するキャリーケースを示す斜視図。
【図４】鍵穴が露出している施錠装置を有するキャリーケースを示す斜視図。
【図５】キャリーバーが伸長した状態のキャリーケースを示す斜視図。
【考案を実施するための形態】
【００１１】
本考案のキャリーケース用施錠装置について添付の図面を参照しつつ説明する。
【００１２】
図１は、マスターキーを使って施錠及び解錠することができるように構成されたキーシリンダー２を有するＴＳＡロック部４と、ダイヤルを使って施錠及び解錠することができるように構成されたダイヤルロック部６と、を備えるキャリーケース用施錠装置１を示している。また、キャリーケース用施錠装置１には、身側シェルと蓋側シェルとの開閉用ジッパーのスライダ引手のロック用リングを掛止めるための掛止め孔８が形成されている。
【００１３】
キャリーケース用施錠装置１はさらに、鍵穴１６、及びこの鍵穴１６を遮蔽することができる蓋体１２を有し、ユーザーキー１４を使って施錠及び解錠することができるように構成されたユーザーキーロック部１０であって、ユーザーキー１４を使ってダイヤルロック部６による施錠状態を解錠することができるように、周知技術により構成されたユーザーキーロック部１０を備える。図１においては、鍵穴１６が蓋体１２により遮蔽されて外側からは視認されない状態となっている。
【００１４】
なお、本考案のキャリーケース用施錠装置１が設けられるキャリーケース１８の一例として、ジッパーを使って身側シェルと蓋側シェルとを開閉する型式キャリーケース１８について説明するが、ラッチ式に開閉する型式のキャリーケース１８にも設けられ得る。
【００１５】
一実施例においては、蓋体１２は、鍵穴１６を露出させることができるように、ユーザーキーロック部１０に対して図２の矢印方向へ摺動可能に構成されたスライド式の蓋体１２であるとよい。他の実施例においては、蓋体１２は、ヒンジ式に開閉して鍵穴１６を遮蔽し又は露出させることができるように設けられた蓋体１２である場合もある。いくつかの実施例においては、蓋体１２の表面に、ユーザーキー用の鍵穴１６の位置を表示する彫刻又は印刷が施されている場合がある。
【００１６】
一実施例においては、使用者が、解錠用のユーザーキー１４をユーザーキーロック部１０の鍵穴１６に差し込んで解錠方向（時計回り又は反時計回り）へ回すと、ダイヤルロック部６による施錠状態を解錠できるように、構成されている。
【００１７】
図３は、本考案の施錠装置１を装備したキャリーケース１８の一実施例を示す。キャリーケース１８は、身側シェル２６及び蓋側シェル２８を備え、ジッパー２０のスライダ引手２４を操作することにより開閉することができるように構成されている。また、キャリーケース１８はさらに、使用者がキャリーケース１８を牽引して移動する際に使われるキャリーバー３２（図５を参照）及びキャスタ３０と、キャリーケース１８を手に提げるときの把持部となるサイドハンドル３４とを備えている。
【００１８】
図４は、図３に示したキャリーケース１８の施錠装置１の蓋体１２が開いた状態を示している。このとき、ダイヤルロック部６による施錠を解錠するために、ダイヤル番号を暗証番号に合わせることなく、解錠用のユーザーキー１４をユーザーキーロック部１０の鍵穴１６に差し込んでから解錠方向（時計回り又は反時計回り）へ回すと、ダイヤルロック部６による施錠状態を解錠することができる。
【００１９】
図５は、ユーザーキー１４によってダイヤルロック部６による施錠が解錠されてジッパー２０が開けられるときの様子を示している。すなわち、キャリーケース１８の使用者が、ユーザーキーロック部１０の鍵穴１６にユーザーキー１４を差し込んでから解錠方向へ回してダイヤルロック部６による施錠状態を解錠することにより、掛止め孔８に掛止されていたスライダ引手２４のロック状態が解除され、掛止め孔８からスライダ引手２４を取り出すことができる。
【００２０】
そして、掛止め孔８から取り出されたスライダ引手２４を操作してスライダ２２を動かすことによりジッパー２０が開き、身側シェル２６と蓋側シェル２８との間の係合が解かれて、キャリーケース１８を開けることができるようになる。
【００２１】
図５は、キャリーバー３２が伸長された状態のキャリーケース１８を示す。一実施例においては、ユーザーキーロック部１０に対して摺動可能に構成されたスライド式の蓋体１２が、付勢手段によって鍵穴１６を遮蔽する方向へ付勢されている。付勢手段としては、圧縮コイルバネ、薄板バネ、捩じりコイルバネ若しくは他の適切なバネ又は適切なゴム（熱硬化性エラストマー）が使用され得る。
【００２２】
以上のように、キャリーケース用施錠装置１は、ユーザーキー１４を使って、ダイヤルロック部６の施錠状態を解錠することができるように構成されている。また、ＴＳＡの認可を得ることができるように、ＴＳＡ用以外の鍵穴１６を遮蔽する蓋体１２を備える。よって、キャリーケースに設けられる本考案のキャリーケース用施錠装置１は、海外旅行にも安心して使用することができるものである。
【符号の説明】
【００２３】
１…施錠装置
２…キーシリンダー
４…ＴＳＡロック部
６…ダイヤルロック部
８…掛止め孔
１０…ユーザーキーロック部
１２…蓋体
１４…ユーザーキー（鍵）
１６…鍵穴
１８…キャリーケース
２０…ジッパー
２２…スライダ
２４…スライダ引手
２６…身側シェル
２８…蓋側シェル
３０…キャスタ
３２…キャリーバー
３４…サイドハンドル
【図１】
0003215036.tif 000003
【図２】
0003215036.tif 000004
【図３】
0003215036.tif 000005
【図４】
0003215036.tif 000006
【図５】
0003215036.tif 000007